(57)【特許請求の範囲】
【請求項１】
集塵機を梱包可能な箱本体と、その箱本体の開口を開閉可能なフラップと、そのフラップを、前記箱本体内部の空間を底面から開口へ向けて拡大させる傾斜姿勢で固定可能な固定手段とを備える一方、前記箱本体の底面に、前記集塵機のホース接続用の開口を形成可能としてなる簡易フード。
【請求項２】
固定手段が、フラップの側縁に形成された差込片と、前記フラップと隣接する他のフラップに設けられ、前記両フラップの傾斜姿勢で前記差込片を差込可能なスリットとからなる請求項１に記載の簡易フード。
【発明の詳細な説明】
【０００１】
【発明の属する技術分野】
本発明は、石工等の作業時に発生した粉塵等を集塵する際に簡単に使用できる簡易フードに関する。
【０００２】
【従来の技術】
上記石工作業等の際に、集塵機を用いて作業時に発生した粉塵を集塵する場合、集塵機に接続したフレキシブルホースの先端を作業場所に向けて地面等にセットする。この場合、効率良く粉塵を捕捉するために、箱状のフードの底にフレキシブルホースの先端を取り付け、このフードの開口を作業場所に向けてセットして集塵を行っていた。
【０００３】
【発明が解決しようとする課題】
上記フードは、板金やアルミ製であることから、フードのための製造コストが別途にかかる。又、フード自体がかさばるため、その収納や保管にも面倒となっている。
【０００４】
そこで、請求項１に記載の発明は、コストのかからない簡単な構成で、収納や保管にも至便となる簡易フードを提供することを目的としたものでる。
【０００５】
【課題を解決するための手段】
上記目的を達成するために、請求項１に記載の発明は、集塵機を梱包可能な箱本体と、その箱本体の開口を開閉可能なフラップと、そのフラップを、箱本体内部の空間を底面から開口へ向けて拡大させる傾斜姿勢で固定可能な固定手段とを備える一方、箱本体の底面に、集塵機のホース接続用の開口を形成可能としてなる簡易フードとしたものである。
請求項２に記載の発明は、請求項１の目的に加えて、固定具等を必要とすることなく、簡単な手順で簡易フードの組み立てと展開とを可能とするために、固定手段を、フラップの側縁に形成された差込片と、そのフラップと隣接する他のフラップに設けられ、両フラップの傾斜姿勢で差込片を差込可能なスリットとからなる構成としたものである。
【０００６】
【発明の実施の形態】
以下、本発明の実施の形態を図面に基づいて説明する。
図１（Ａ）は、簡易フード１の展開状態を示す全体斜視図で、簡易フード１は、集塵機が梱包されていた段ボール箱が使用される。即ち、直方体の箱本体２において、長手方向の左右の上縁には、上部の開口３と同じ大きさの大フラップ４，４が、短手方向の左右の上縁には、大フラップ４の短手方向の長さと略同じ長さの小フラップ５，５が夫々延設されており、集塵機の梱包状態では、小フラップ５，５を開口３側に倒した状態で、大フラップ４，４を互い違いに開口３側に重ねて封がされていたものである。
小フラップ５，５は、先端へ向かって徐々に幅が狭くなる台形状に形成されており、先端際の両側縁には、差込片６，６が夫々突設されている。一方、大フラップ４，４において、左右の短辺際には、差込片６と同じ幅と長さとを有するスリット７，７が穿設されている。このスリット７，７は、各大フラップ４において、開口３のコーナーから小フラップ５の斜辺と同じ角度で内側へ傾斜させた直線上にあって、小フラップ５における開口３のコーナーから差込片６までの距離と同じ寸法で形成されている。
【０００７】
一方、箱本体２の底は、図２に示すように、短手方向の下縁に夫々延設された一対の底フラップ８と、長手方向の下縁に夫々開口３の半分の幅で延設された一対の底フラップ９，９とにより閉塞されているが、この底の中央で一方の短辺寄りの位置には、ミシン目による円形の切り込み１０と、その切り込み１０の外周から放射状且つ等間隔で、切り込み１０と連続するミシン目による線状の切り込み１１，１１・・とが形成されている。これらの切り込み１０，１１は、底フラップ８及び底フラップ９，９とに亘って形成され、切り込み１０に沿った切り取りにより、箱本体２の底に円形の開口を形成可能としたもので、切り込み１０の直径は、集塵の際に使用されるフレキシブルホースの外径よりやや小さめとなっている。
【０００８】
以上の如く構成された簡易フード１は、集塵機を取り出した後は、図１（Ｂ）及び図３（Ａ）に示すように、まず大フラップ４，４を箱本体２内へ折り込む。ここでは、開口３の短手方向の幅は箱本体２の深さより大きいので、大フラップ４，４の先端は箱の底に当接して傾斜姿勢で停止する。次に、図３（Ｂ）に示すように、一方の小フラップ５を箱本体２内に折り込むと、小フラップ５の両側の差込片６，６が左右の大フラップ４，４のスリット７，７に夫々差し込まれ、大フラップ４と同様の傾斜姿勢で停止する。最後に他方の小フラップ５も同様に折り込み、差込片６，６を左右のスリット７，７に差し込むと、図４の如く、箱本体２には、傾斜姿勢で互いに固定される大フラップ４，４と小フラップ５，５とにより、底面から開口３へ向かって広がるテーパ状の空間が形成されることになる。
【０００９】
こうして組み立てられた簡易フード１を、図５に示すように、切り込み１０がある方を下にして縦に設置し、切り込み１０を切り抜いて底に円形の開口１２を生じさせ、その開口１２に、集塵機に接続したフレキシブルホース１３の先端を挿入すると、フレキシブルホース１３の先端が簡易フード１の奥に開口し、フレキシブルホース１３の接続が完了する。尚、この接続状態では、フレキシブルホース１３の圧入により切り込み１１を破って切り起こされる小片１４，１４・・がフレキシブルホース１３の周りを抑えるため、フレキシブルホース１３は安定して支持される。
よって、簡易フード１の開口３を作業場所に向けて集塵機を作動させると、発生した粉塵が開口３から傾斜姿勢の大フラップ４，４及び小フラップ５，５によって底に導かれ、フレキシブルホース１３に吸い込まれて集塵機に達し、集塵袋等に回収される。作業が終われば、フレキシブルホース１３を簡易フード１から取り外し、小フラップ５，５の差込片６，６を上記手順と逆にスリット７，７から脱却させれば、再び箱本体２が図１（Ａ）の展開状態となるため、集塵機を梱包可能となる。
【００１０】
このように上記形態によれば、集塵機の梱包箱をそのまま集塵用の簡易フードとして利用できるため、板金やアルミ製のフードを別途用意する必要がなくなり、コストダウンが図られる。又、簡易フードとして使用しない場合は、集塵機の梱包に再使用できるため、簡易フードについて収納や保管の手間やスペースをとることもない。
更に、固定手段が、大フラップ４及び小フラップ５を、箱本体２内部の空間を底面から開口３へ向けて拡大させる傾斜姿勢に固定するものであるため、接続したフレキシブルホース１３への集塵のガイドとなって集塵効率の向上に繋がる。特に、大フラップ４及び小フラップ５の固定手段として、差込片６とスリット７とを利用しているから、固定具等を必要とすることなく、簡単な手順で簡易フードの組み立てと展開とが可能となる。
【００１１】
尚、上記形態では、４枚のフラップが設けられた箱本体で説明しているが、例えば大フラップが２枚のみの場合でも、固定手段として、大フラップに差込片を、箱本体の底面や側面にスリットを設けることで、大フラップを傾斜姿勢で固定してテーパ状の空間の形成は可能である。勿論箱本体の形状も、上記直方体に限らず、正方形であっても本発明は採用できるし、集塵機の梱包用の箱であれば、段ボール製に限らず、合成樹脂製のものでも同様に採用可能である。但し、フラップは、折り込み状態で箱本体の底に当接する長さを有することが望ましい。底に当接しない短いフラップであると、傾斜姿勢で固定してもホースの開口まで連続するテーパ状の空間が形成できないからである。
【００１２】
又、フラップの固定手段も、上記形態のような差込片とスリットとに限らず、差込片を省略し、一方のフラップに隣接するフラップの一部を差し込むスリットのみを設けたり、差込片もなくして、箱本体の底面や側面にフラップを傾斜姿勢で係止する切り起こし片を設けたりする等、フラップが傾斜姿勢で固定可能であれば適宜設計変更可能である。
更に、フレキシブルホースの接続用の切り込みも、複数設けて接続位置を選択可能としても良いし、完全に開口させずに、一部を残してフラップ状となるような切り込みを形成して、フレキシブルホースの取り外し後は閉塞できるようにしても差し支えない。
【００１３】
【発明の効果】
請求項１に記載の発明によれば、集塵機の梱包箱をそのまま集塵用の簡易フードとして利用できるため、板金やアルミ製のフードを用意する必要がなくなり、コストダウンが図られる。又、簡易フードとして使用しない場合は、集塵機の梱包に再使用できるため、簡易フードについて収納や保管の手間やスペースをとることもない。
特に、固定手段を、フラップを箱本体内部の空間を底面から開口へ向けて拡大させる傾斜姿勢に固定するものとしたことで、簡易フードの集塵効率を向上させることができる。
請求項２に記載の発明によれば、請求項１の効果に加えて、固定手段を、フラップの側縁に形成された差込片と、そのフラップと隣接する他のフラップに設けられ、両フラップの傾斜姿勢で差込片を差込可能なスリットとから構成したことで、固定具等を必要とすることなく、簡単な手順で簡易フードの組み立てと展開とが可能となる。
【図面の簡単な説明】
【図１】（Ａ）簡易フードの展開状態を示す斜視図である。
（Ｂ）簡易フードの組み立て状態を示す斜視図である。
【図２】簡易フードの底部分の説明図である。
【図３】（Ａ）簡易フードの組み立て状態を示す斜視図である。
（Ｂ）簡易フードの組み立て状態を示す斜視図である。
【図４】簡易フードの斜視図である。
【図５】簡易フードの使用状態を示す断面説明図である。
【符号の説明】
１・・簡易フード、２・・箱本体、３・・開口、４・・大フラップ、５・・小フラップ、６・・差込片、７・・スリット、１０，１１・・切り込み、１３・・フレキシブルホース。
【図１】
0003651770.tif 000002
【図２】
0003651770.tif 000003
【図３】
0003651770.tif 000004
【図４】
0003651770.tif 000005
【図５】
0003651770.tif 000006